(57)【特許請求の範囲】
【請求項１】
表示画面上に一のページの画像を表示させると共に第１領域と第２領域とを区画して共に表示する画像表示部と、
前記表示画面上の位置の指定操作に基づいて指定及び指定解除の位置認識を行う位置認識部と、
前記表示画面上での指定数を計数する計数部と、
前記位置認識に基づいて前記第１領域内での指定及びこの指定に引き続いて行われる前記第２領域内での指定解除を検出する検出部と、
前記検出が行われると前記表示画面上の画像を前記検出前に計数された事前指定の指定数に応じた他のページの画像に切り替えるページ切替部と、
を備えた画像処理装置であって、
前記計数部は、前記指定操作に含まれる第１の指定操作による前記第１領域内での指定に応じて前記指定数の計数を行い、
前記検出部は、前記指定操作に含まれる第２の指定操作によるドラッグ・アンド・ドロップに基づいて前記第１領域内での指定及び前記第２領域内での指定解除の検出を行う、
ことを特徴とする画像処理装置。
【請求項２】
請求項１記載の画像処理装置であって、
前記検出部は、前記位置認識に基づいて前記第２領域内での指定及びこの指定に引き続いて行われる前記第１領域内での指定解除を更に検出し、
前記検出部は、前記第２の指定操作によるドラッグ・アンド・ドロップに基づいて前記第２領域内での指定及び前記第１領域内での指定解除の検出を行い、
前記検出部が前記第１領域内での指定及び前記第２領域内での指定解除を検出すると、前記ページ切替部は、前記表示画面上の画像のページ数に前記検出前に計数された事前指定の指定数を加えたページの画像に切り替え、
前記検出部が前記第２領域内での指定及び前記第１領域内での指定解除を検出すると、前記ページ切替部は、前記表示画面上の画像のページ数に前記検出前に計数された事前指定の指定数を差し引いたページの画像に切り替える、
ことを特徴とする画像処理装置。
【請求項３】
請求項１記載の画像処理装置であって、
前記計数部は、前記第２領域内での前記第１の指定操作による指定に応じて指定数を更に計数し、
前記ページ切替部は、前記表示画面上の画像のページ数に前記検出前に前記第１領域内での指定に応じて計数された事前指定の指定数を加えたページの画像に切り替え、前記表示画面上の画像のページ数に前記検出前に前記第２領域内での指定に応じて計数された事前指定の指定数を差し引いたページの画像に切り替える、
ことを特徴とする画像処理装置。
【請求項４】
請求項１〜３の何れかに記載の画像処理装置であって、
前記事前指定に応じて前記表示画面上に前記指定数を表示する指定数表示部を備えた、
ことを特徴とする画像処理装置。
【請求項５】
請求項１〜４の何れかに記載の画像処理装置であって、
前記第２領域は、前記表示画面上の画像の縁部に位置し、
前記第１領域は、前記第２領域に隣接配置された、
ことを特徴とする画像処理装置。
【請求項６】
表示画面上に一のページの画像を表示させると共に第１領域と第２領域とを区画して共に表示する画像表示手順と、
前記表示画面上の位置の指定操作に基づいて指定及び指定解除の位置認識を行う位置認識手順と、
前記表示画面上での指定数を計数する計数手順と、
前記位置認識に基づいて前記第１領域内での指定及びこの指定に引き続いて行われる前記第２領域内での指定解除を検出する検出手順と、
前記検出が行われると前記表示画面上の画像を前記検出前に計数された事前指定の指定数に応じた他のページの画像に切り替えるページ切替手順と、
をコンピューターに実行させる画像処理プログラムであって、
前記計数手順では、前記指定操作に含まれる第１の指定操作による前記第１領域内での指定に応じて前記指定数の計数を行い、
前記検出手順では、前記指定操作に含まれる第２の指定操作によるドラッグ・アンド・ドロップに基づいて前記第１領域内での前記指定及び前記第２領域内での前記指定解除の検出を行う、
ことを特徴とする画像処理プログラム。
【請求項７】
請求項６記載の画像処理プログラムであって、
前記事前指定に応じて前記表示画面上に前記指定数を表示する指定数表示手順を備えた、
ことを特徴とする画像処理プログラム。
【請求項８】
請求項６又は７記載の画像処理プログラムであって、
前記画像表示手順は、前記第２領域を前記ページの画像の縁部に位置させ、前記第１領域を前記第２領域に隣接配置させる、
ことを特徴とする画像処理プログラム。
【発明の詳細な説明】
【技術分野】
【０００１】
本発明は、表示画面上に複数ページの画像を切り替えて表示させる画像処理装置及び画像処理プログラムに関する。
【背景技術】
【０００２】
従来の画像処理装置としては、例えば特許文献１のように、両面プリント時のプレビュー画像を、その表裏を切り替えて表示させるものがある。
【０００３】
この画像処理装置では、表示中のページの画像をスライドさせると、その裏面の他ページの画像が入れ替わるように表示される。これにより、画像をめくって裏返す様子を動的に表示しながら複数ページの画像を切り替えることができる。
【０００４】
しかしながら、従来の画像形成装置では、画像をめくって裏返す性質上、ページ切り替えを１ページ単位で順次行わせる必要がある。
【０００５】
このため、複数ページ先又は後のページを表示させる場合は、サムネイル表示された複数ページの画像を選択させることで対応していた。
【０００６】
ところが、サムネイル表示されたページは、表裏の何れか一方のページであるため、その裏面に位置するページを表示させるときは、一度サムネイル表示されたページの画像を選択して表示させた後に画像をめくる必要がある。
【０００７】
このため、従来の画像形成装置では、目的ページを表示するために不要なページの画像表示が発生することがあった。
【先行技術文献】
【特許文献】
【０００８】
【特許文献１】特開２０１０−１６７６９８号公報
【発明の概要】
【発明が解決しようとする課題】
【０００９】
本発明が解決しようとする問題点は、複数ページの画像を切り替えて目的ページの画像を表示するために不要な画像表示が発生する点である。
【課題を解決するための手段】
【００１０】
本発明は、複数ページの画像を切り替えて目的ページの画像を表示する際に不要な画像表示なくすために、表示画面上に一のページの画像を表示させると共に第１領域と第２領域とを区画して共に表示する画像表示部と、前記表示画面上の位置の指定操作に基づいて指定及び指定解除の位置認識を行う位置認識部と、前記表示画面上での指定数を計数する計数部と、前記位置認識に基づいて前記第１領域内での指定及びこの指定に引き続いて行われる前記第２領域内での指定解除を検出する検出部と、前記検出が行われると前記表示画面上の画像を前記検出前に計数された事前指定の指定数に応じた他のページの画像に切り替えるページ切替部と、を備えた画像処理装置であって、前記計数部は、前記指定操作に含まれる第１の指定操作による前記第１領域内での指定に応じて前記指定数の計数を行い、前記検出部は、前記指定操作に含まれる第２の指定操作によるドラッグ・アンド・ドロップに基づいて前記第１領域内での指定及び前記第２領域内での指定解除の検出を行う、ことを最も主な特徴とする。
【発明の効果】
【００１１】
本発明によれば、表示画面上の位置の指定数によって目的ページのページ数を指定し、第１及び第２領域間での指定及び指定解除によって目的ページに画像を切り替えることができ、複数ページの画像を切り替えて目的ページの画像を表示するために不要な画像表示なくすことができる。
【図面の簡単な説明】
【００１２】
【図１】画像処理装置を示すブロック図である（実施例１）。
【図２】表示画面上のプレビュー表示の一例を示す概略図である（実施例１）。
【図３】図２の第１及び第２領域を拡大して示す概念図である（実施例１）。
【図４】画像切替処理を示すフローチャートである（実施例１）。
【図５】画像処理装置を示すブロック図である（実施例２）。
【図６】表示画面上のプレビュー表示の一例を示す概略図である（実施例２）。
【発明を実施するための形態】
【００１３】
複数ページの画像を切り替えて目的ページの画像を表示するために不要な画像表示なくすという目的を、表示画面上の位置の指定操作に基づく指定数及び表示画面上に区画された第１領域及び第２領域間で引き続いて行われる指定及び指定解除によって実現した。
【００１４】
実施形態としては、マウス等を用いた指定操作により、右クリック回数による指定数入力及び左クリックによる第１領域及び第２領域間のドラッグ・アンド・ドロップによる指定及び指定解除を行うのが好ましい。
【実施例１】
【００１５】
［画像処理装置の構成］
図１は、本発明の実施例１に係る画像処理装置を示すブロック図である。
【００１６】
図１のように、画像処理装置１は、例えばコンピューター等の情報処理装置からなり、制御部３と、記憶部５と、ネットワークインターフェース７と、システムバス９とを備えている。
【００１７】
制御部３は、ソフトウェアプログラムを実行して各種制御や作業を行わせるＣＰＵ（Central Process Unit）等の制御要素である。
【００１８】
記憶部５は、各種制御のアプリケーション、制御に必要なデータ、或いは画像データ等の処理対象のデータを記憶するＲＯＭ（Read Only Memory）、ＲＡＭ（Random Access Memory）、ハードディスク等の記憶装置である。
【００１９】
ネットワークインターフェース７は、ＬＡＮ等のネットワーク１１を介して画像形成装置１３やサーバー１５との間でデータの送受信を行わせる。なお、本実施例では、画像形成装置１３が、少なくとも文書等の画像データの保存機能を有するコピー機、プリンター、ファクシミリ装置、スキャナー、又はそれらの複合機等となっている。画像形成装置１３に保存される画像データは、画像処理装置１等の外部から入力された画像データや自身でスキャンした画像データである。また、サーバー１５は、画像処理装置１から入力され或いは画像形成装置１３を介して入力された画像データを保存する。
【００２０】
システムバス９は、画像処理装置１内の制御部３、記憶部５、ネットワークインターフェース７間を接続する。このシステムバス９には、モニター１９、マウス２３、キーボード２５等の外部装置も接続されている。
【００２１】
モニター１９は、ＣＲＴや液晶ディスプレイ等からなり、画像を表示するための表示画面２１を備えている。
【００２２】
マウス２３は、少なくとも一対の入力部である左右入力ボタン２７，２９を備えたポインティングデバイスである。このマウス２３は、モニター１９の表示画面２１上のポインター（図示せず）を制御することで、プログラムの項目やその他のオブジェクトに対する操作入力時に用いられる。
【００２３】
操作入力の際には、表示画面２１上でのポインターの位置に対し、左右入力ボタン２７，２９の押し込み及びその解除の指定操作に基づいて指定及び指定解除を行う。以下、マウス２３の左入力ボタン２７（一方）を指定操作するときは左クリック、右入力ボタン２９（他方）を指定操作するときは右クリックと称する。
【００２４】
このような本実施例の画像処理装置１は、制御部３によって記憶部５内の画像処理プログラムを実行することで、サーバー１５、画像形成装置１３、又は記憶部５内の保存された画像データのプレビュー表示を行わせることができる。
【００２５】
本実施例の画像処理装置１は、複数ページの画像をマウス２３の左右クリックに基づいて目的ページを切り替え表示するものであり、機能構成として画像表示部３１、計数部であるページカウントアクション検知部３３、検出部であるページ切替アクション検知部３５、及びページ切替部３７を備える。
【００２６】
以下、画像処理装置１の各機能構成について、図２及び図３をも参照しながら説明する。図２は、表示画面上のプレビュー表示の一例を示す概略図であり、図３は、図２の第１及び第２領域を拡大して示す概念図である。
【００２７】
画像表示部３１は、画像表示手順を実現するものであり、図２のように表示画面２１上にブラウザー３９を表示させると共にブラウザー３９のプレビュー領域４１内にプレビュー画像４３を１ページ単位で表示させる。従って、画像表示部３１は、表示画面２１上に一のページの画像を表示させる構成となっている。
【００２８】
なお、ブラウザー３９は、プレビュー表示専用のウィンドウやＷＥＢブラウザーから構成することができる。ＷＥＢブラウザーの場合は、サーバー１５や画像形成装置１３が画像データに基づいてプレビュー画像としてのＷＥＢページを生成し、これをブラウザー３９によってプレビューさせる。
【００２９】
また、画像表示部３１は、図２及び図３のように、プレビュー領域４１内に第１及び第２領域４５，４７を区画して表示する。第２領域４７は、表示中のプレビュー画像４３上の縁部である角部に位置している。第１領域４５は、プレビュー画像４３外で第１領域４５に一部重なるように隣接配置されている。
【００３０】
これらの第１及び第２領域４５，４７は、本実施例において異なる色で色分け表示（区画表示）されている。ただし、第１及び第２領域４５，４７は、両者が識別可能であれば色分け以外の区画表示でもよい。
【００３１】
この第１及び第２領域４５，４７の区画表示に対応して、プレビュー領域４１内には領域アイコン４９，５１が色分け表示（区画表示）されている。なお、領域アイコン４９，５１は、図２と図３とで左右反転して位置しているが、何れに位置させても良い。
【００３２】
領域アイコン４９，５１には、第１及び第２領域４５，４７を示すテキスト表示が隣接配置されている。本実施例では、第１領域４５が「Ａ」、第２領域４７が「Ｂ」となっている。
【００３３】
従って、ユーザーは、領域アイコン４９，５１を参照することで、プレビュー領域４１内の第１及び第２領域４５，４７を認識することができる。
【００３４】
プレビュー領域４１内には、上記プレビュー画像４３、第１及び第２領域４５，４７、領域アイコン４９，５１に加えて、ページ送り／戻り用のアイコン５３、ページ番号入力用のテキストボックス５５も表示されている。
【００３５】
アイコン５３は、例えばマウス２３の左クリックにより、プレビュー画像４３の切り替えを１ページ毎にページ送り又はページ戻り、或いは最初のページ又は最後のページへのページジャンプによって行わせるためのものである。
【００３６】
テキストボックス５５は、例えばキーボード２５を介してページ番号の入力を行わせ、プレビュー画像４３の切り替えを入力されたページへのページジャンプによって行わせるためのものである。
【００３７】
ページカウントアクション検知部３３は、位置認識手順及び計数手順を実現するものであり、マウス座標検知部５７及びマウス右クリック検知部５９を備えている。
【００３８】
マウス座標検知部５７は、表示画面２１上でのマウス２３のポインターの座標位置を検知する。この検知は、マウス２３の操作入力値とモニター１９上でのポインターの二次元座標値との関係テーブル等を用いて行えばよい。
【００３９】
マウス右クリック検知部５９は、第１領域４５内でマウス２３の右クリックが行われたことを検知する。この検知は、ポインターの座標位置とマウス２３の右クリックによる操作入力信号とで行われ、右クリックが行われた座標を記憶部５のマウス座標記憶領域６１に記憶し、これが第１領域４５に含まれるか否かを判定する。
【００４０】
このマウス右クリック検知部５９は、上記右クリックを検知すると、その回数をブラウザー３９に保持させる。具体的には、右クリックを検知するたびに、ブラウザー３９に保持させておいた検知回数に「１」を加算する。なお、検知数のブラウザー３９への保持は、記憶部５内のカウント記憶領域６３に記憶することで行われる。
【００４１】
従って、マウス右クリック検知部５９は、表示画面２１の第１領域４５上での位置の指定数を計数する計数部として機能すると共に表示画面２１上の位置の指定操作に基づいて指定及び指定解除の位置認識を行う位置認識部として機能する。
【００４２】
ページ切替アクション検知部３５は、位置認識手順及び検出手順を実現するものであり、マウス座標検知部６５、マウス左クリック検知部６７を備えている。
【００４３】
マウス座標検知部６５は、上記ページカウントアクション検知部３３のマウス座標検知部５７と同様、表示画面２１上でのポインターの座標位置を検知する。
【００４４】
マウス左クリック検知部６７は、マウス２３の左クリックに基づく第１及び第２領域４５，４７間でのドラッグ・アンド・ドロップを検知する。すなわち、マウス左クリック検知部６７は、第１領域４５でマウス２３の左入力ボタン２７が押し込まれ、その状態でマウス操作によってポインターを移動させ、第２領域４７で左入力ボタン２７の押し込みが解除されたことを検知する。
【００４５】
この検知は、ポインターの座標位置とマウス２３の左クリックによる操作信号とから行われる。具体的には、マウス２３の左入力ボタン２７の押し込みが行われた座標を記憶部５のマウス座標記憶領域６１に記憶し、これが第１領域４５に含まれるか否かを判定する。
【００４６】
第１領域４５に含まれる場合は、マウス２３の左入力ボタン２７の解除が行われた座標を記憶部５のマウス座標記憶領域６１に記憶し、これが第２領域４７に含まれるか否かを判定する。
【００４７】
従って、マウス左クリック検知部６７は、第１領域４５内での指定及びこの指定に引き続いて行われる第２領域４７内での指定解除を検出する構成であり、且つ表示画面２１上の位置の指定操作に基づいて指定及び指定解除の位置認識を行う位置認識部としても機能する。
【００４８】
ページ切替部３７は、ページ切替手順を実現するものであり、ページ切替アクション検知部３５によるドラッグ・アンド・ドロップの検知が行われると、プレビュー領域４１上のプレビュー画像４３を他のページの画像に切り替える。
【００４９】
他のページの画像は、その検知前に計数されたマウス２３の右クリックの検知数（事前指定の指定数）に応じたページの画像である。本実施例では、表示中のプレビュー画像４３のページ数に検知数を加えたページの画像となっている。従って、本実施例では、検知数分のページをジャンプさせてプレビュー画像を進めることができる。
【００５０】
なお、ページを戻す場合は、ページ切替アクション検知部３５が第２領域４７から第１領域４５へのドラッグ・アンド・ドロップを検知し、この場合に表示中のプレビュー画像４３のページ数から検知数を差し引いた他のページの画像に切り替えればよい。
【００５１】
これに代えて、ページを戻す場合は、ページカウントアクション検知部３３が第２領域４７での右クリックを検知するようにしてもよい。この場合、ページ切替アクション検知部３５が第１領域４５から第２領域４７へのドラッグ・アンド・ドロップを検知したときに、上記同様、表示中のプレビュー画像４３のページ数から検知数を差し引いた他のページの画像に切り替えればよい。
【００５２】
ページの切り替え時には、プレビュー対象の画像データがサーバー１５又は画像形成装置１３に保存されている場合、検知数と共にプレビュー画像の要求をサーバー１５又は画像形成装置１３に対して行い、受信した他のページのプレビュー画像を表示させる。画像データが画像処理装置１自体に保存されている場合は、その画像データ及び検知数とに基づいて他のページのプレビュー画像を表示させる。
［画像切替処理］
図４は、本発明の実施例１に係る画像切替処理を示すフローチャートである。なお、図４においては、プレビュー対象の画像データがサーバー１５内に保存されている場合を例にとって説明する。
【００５３】
図４の画像切替処理は、図２のブラウザー３９上のプレビュー領域４１内に切り替え対象となるプレビュー画像４３を表示した状態でスタートする。なお、プレビュー画像４３の表示は、例えばブラウザー３９上からサーバー１５に対してプレビュー画像の要求を行い、これに応じてサーバー１５から受信したプレビュー画像データに基づいて行われる。
【００５４】
この画像切替処理は、まずステップＳ１において、「右クリック検知？」の処理が行われる。この処理では、ページカウントアクション検知部３３が、第１領域４５内でマウス２３の右クリックが行われたか否かを検知する。右クリックを検知した場合（ＹＥＳ）は、ステップＳ２に移行し、右クリックを検知しない場合（ＮＯ）は、ステップＳ３に移行する。
【００５５】
ステップＳ２では、「右クリックのカウント」の処理が実行される。この処理では、ページカウントアクション検知部３３が、上記右クリックを検知すると、ブラウザー３９に保持させておいた検知数に「１」を加算する。なお、検知数は、デフォルト設定で「０」に設定しておけばよい。
【００５６】
こうして右クリックが行われた回数をカウント（計数）し、ステップＳ３へ移行する。
【００５７】
ステップＳ３では、「左クリックの検知」の処理が実行される。この処理では、ページ切替アクション検知部３５が、左クリックのドラッグ・アンド・ドロップ、つまり第１領域４５でマウス２３の左入力ボタン２７が押し込まれ、第２領域４７で左入力ボタン２７の押し込みが解除されたか否かを検知する。
【００５８】
左クリックが検知された場合（ＹＥＳ）は、ステップＳ４へ移行し、左クリックが検知されない場合（ＮＯ）は、ステップＳ１へ戻って以下の処理を繰り返す。
【００５９】
ステップＳ４では、「プレビュー画像要求」の処理が実行される。この処理では、ページ切替部３７が、左クリックの検知の検知前に計数された右クリックの検知数とプレビュー画像の要求をサーバー１５に送信する。
【００６０】
サーバー１５では、検知数及びプレビュー画像の要求に応じ、表示中のプレビュー画像のページ数に検知数を加えたページのプレビュー画像データを画像処理装置１側に送信する。これにより、ステップＳ５へ移行する。
【００６１】
ステップＳ５では、「プレビュー画像切替」の処理が実行される。この処理では、ページ切替部３７が、プレビュー領域４１上のプレビュー画像４３を、受信したプレビュー画像データに基づく他のページのプレビュー画像に切り替える。これにより、画像切替処理が完了する。
【００６２】
このように本実施例では、第１領域４５上での右クリック数（ページカウントアクション）によって目的ページのページ数を指定し、第１及び第２領域４５，４７間での左クリックのドラッグ・アンド・ドロップ（ページ切替アクション）によって目的ページにページジャンプさせてプレビュー画像４３を切り替えることができる。
【００６３】
なお、上記画像処理は、サーバー１５に画像データが保存されている場合について説明したが、画像形成装置１３に画像データが保存されていても上記サーバー１５の場合と同様に行わせることができる。この場合、上記画像形成処理においてサーバー１５を画像形成装置１３に読み替えればよい。
【００６４】
また、画像データが画像処理装置１自体に保存されている場合は、周知の画像表示用のアプリケーションと同様にして記憶部５内の画像データに基づくプレビュー画像をブラウザー３９上に表示させ、この状態で上記画像切替処理を行わせればよい。
【００６５】
また、本実施例の画像切替処理は、例えばプリンタードライバーによる印刷プレビュー表示にも適用することが可能である。この場合は、例えばプリンタードライバー上のプレビューボタンの選択操作に応じてブラウザー３９を表示させるようにすればよい。
［実施例１の効果］
本実施例の画像処理装置１は、表示画面２１上に一のページのプレビュー画像４３を表示させると共に第１領域４５及び第２領域４７を区画する画像表示部３１と、表示画面２１上の位置の指定操作に基づいて指定及び指定解除の位置認識を行い、位置認識に基づいて表示画面２１上での指定数を計数するページカウントアクション検知部３３及び位置認識に基づいて第１領域４５内での指定及びこの指定に引き続いて行われる第２領域４７内での指定解除を検出するページ切替アクション検知部３５と、前記検出が行われると表示画面２１上の画像を検出前に計数された事前指定の指定数に応じた他のページのプレビュー画像４３に切り替えるページ切替部３７とを備えた。
【００６６】
従って、本実施例の画像処理装置１は、表示画面２１上の位置の指定数によって目的ページのページ数を指定し、第１及び第２領域４５，４７間での指定及び指定解除によって目的ページにページジャンプさせてプレビュー画像４３を切り替えることができる。
【００６７】
このため、本実施例では、複数ページの画像を切り替えて目的ページのプレビュー画像４３を表示するために不要な画像表示なくすことができると共により直感的なユーザーインターフェースを実現することができる。
【００６８】
また、本実施例では、ページカウントアクション検知部３３が、第１領域４５内での指定数を計数するので、他の部分での不用意な指定の計数を抑制して所望の目的ページに確実に切り替えることができる。
【００６９】
また、本実施例では、第２領域４７が、表示中のプレビュー画像４３の縁部に位置し、第１領域４５が、第２領域４７に隣接配置されたので、第１及び第２領域４５，４７間での指定及び指定解除を確実に行わせて所望の目的ページに確実に切り替えることができる。
【００７０】
また、本実施例では、異なる操作入力を行う少なくとも一対の左右入力ボタン２７，２９を備え、ページ切り替えのための指定操作が、左入力ボタン２７を介した左クリックにより行われ、ページ指定のための指定操作が、右入力ボタン２９を介した右クリックにより行われる。
【００７１】
従って、本実施例では、ページ指定操作とページ切替操作とを異なる操作入力によって確実に行わせることができ、所望の目的ページに確実に切り替えることができる。
【００７２】
しかも、本実施例では、入力ボタン２７，２９を介したクリック操作だけでページ切替を行わせることができるので、より直感的なユーザーインターフェースを実現することができる。
【実施例２】
【００７３】
図５は、本発明の実施例２に係る画像処理装置のブロック図、図６は、表示画面上のプレビュー表示の一例を示す概略図である。なお、本実施例の画像処理装置は、上記実施例１の画像処理装置１と基本構成が共通しているため、対応する構成に同符号或いは同符号Ａを付したものを用いて重複した説明を省略する。
【００７４】
本実施例の画像処理装置１Ａは、図５のように、制御部３Ａが指定数表示部としての右クリック数表示部６９を更に備えたものである。
【００７５】
すなわち、右クリック数表示部６９は、指定数表示部を実現するものであり、図６のように右クリック（事前指定）に応じて表示画面２１上に右クリックの検知数（指定数）をポップアップ表示する。検知数の表示部７１は、その一部が第２領域４７上に位置して関連付けられている。なお、検知数は、表示部７１ではなく、図２のテキストボックス５５内に表示させてもよい。
【００７６】
本実施例の画像処理装置１Ａでは、上記実施例１と同様の作用効果を奏することができるのに加え、右クリックの検知数をユーザーに確実に認識させて所望の目的ページに確実に切り替えることができる。
［その他］
以上、本発明の実施例について説明したが、本発明はこれに限定されるものではなく、各種の変更が可能である。
【００７７】
例えば、上記実施例では、位置認識部をページカウントアクション検知部３３及びページ切替アクション検知部３５の一部として機能構成していたが、両者と分離した形で機能構成してもよい。
【００７８】
また、上記実施例では、右クリックによるページ数の指定、左クリックによるページ切替を行わせていたが、これとは逆に左クリックによるページ数の指定、右クリックによるページ切替を行なわせてもよい。
【００７９】
また、右クリックと左クリックとで別々にページ数の指定及びページ切替を行っていたが、ページ数の指定及びページ切替の双方を右クリック或いは左クリックの何れか一方で行わせてもよい。
【００８０】
また、上記実施例では、第１領域４５内での指定及びこの指定に引き続いて行われる第２領域４７内での指定解除として、ドラッグ・アンド・ドロップを行わせていたが、所定時間内に第１及び第２領域４５，４７内で別々に行われたクリックであってもよい。
【００８１】
また、ページ数の指定のクリック検知は、第１及び第２領域４７以外の表示画面２１上の位置に対して行ってもよい。
【００８２】
また、上記実施例では、マウス２３を用いた操作入力を行っていたが、いわゆるノートパソコン等のような備え付けのマウスパッドやタッチパネル等を用いて行ってもよい。
【符号の説明】
【００８３】
１  画像処理装置
２１  表示画面
２３  マウス
２７，２９  入力ボタン（入力部）
３１  画像表示部
３５  ページカウントアクション検知部（位置認識部、計数部）
３７  ページ切替アクション検知部（位置認識部、検出部）
３９  ページ切替部
４５  第１領域
４７  第２領域
６９  右クリック数表示部（指定数表示部）
【図１】
0005559744.tif 000002
【図２】
0005559744.tif 000003
【図３】
0005559744.tif 000004
【図４】
0005559744.tif 000005
【図５】
0005559744.tif 000006
【図６】
0005559744.tif 000007